(57)【特許請求の範囲】
【請求項１】
左右に並設された第１、第２の遊技機と、
前記第１の遊技機の一側に設置され前記第１の遊技機にノズルを介して遊技媒体を直接払出しする第１の遊技媒体貸出し機と、
前記第２の遊技機の一側に設置され前記第２の遊技機にノズルを介して遊技媒体を直接払出しする第２の遊技媒体貸出し機とを備える遊技装置において、
貨幣投入部と貨幣識別部及び制御部を備え、前記第１、第２の遊技媒体貸出し機とそれぞれ接続された１台のビルバリが設置され、
前記第１の遊技媒体貸出し機が前記第１の遊技機に遊技媒体を払出す動作と、前記第２の遊技媒体貸出し機が前記第２の遊技機に遊技媒体を払出す動作とが選択的に実行されるように前記ビルバリと前記第１、第２の遊技媒体貸出し機とが接続構成され、
前記ビルバリは、該ビルバリおよび前記第１、第２の遊技媒体貸出し機の動作状態を表示する表示部と、前記第１、第２の遊技媒体貸出し機の何れによって遊技媒体の払出しを実行させるのかを選択する一対の選択ボタンとを備える、
ことを特徴とする遊技装置。
【請求項２】
前記ビルバリは、第１の貨幣ストッカーを含んで構成され、前記第１、第２の遊技媒体貸出し機のうちの一方の遊技媒体貸出し機の上部に一体的に組込まれている、
ことを請求項１に記載の遊技装置。
【請求項３】
前記ビルバリは、前記一方の遊技媒体貸出し機の上方部に別置きに設置され、かつ、前記ビルバリと別に設置された第２の貨幣ストッカーに対して紙幣搬送装置を介して接続されている、
ことを特徴とする請求項１に記載の遊技装置。
【請求項４】
前記第１、第２の遊技媒体貸出し機は、それぞれ、当該遊技媒体貸出し機の動作状態を表示する表示部と、遊技媒体の払出しを実行させる選択ボタンとを備える、
ことを特徴とする請求項３に記載の遊技装置。
【発明の詳細な説明】
【０００１】
【発明の属する技術分野】
本発明は、スロットマシン等の遊技機に関し、特にその一側に貨幣（紙幣又は硬貨）を投入することにより所定枚数のメダル等の遊技媒体を払出しする遊技媒体貸出し機を設置してなる、少なくとも２台の遊技機及び遊技媒体貸出し機を対とするユニットとしての遊技装置に関するものである。
【０００２】
【従来の技術】
従来、スロットマシン等の遊技機は、通常複数台の遊技機を並設して、所謂島を構成するように設置される。そして、島を構成するよう設置された各遊技機に対応してその一側に通称サンドと称している遊技媒体貸出し機を設置し、この遊技媒体貸出し機に所定額の貨幣を投入することによって所定枚数の遊技媒体の払出しを受け、その遊技媒体を遊技機に投入することにより遊技を行うようなシステムになっている。
【０００３】
上記したサンドと称する遊技媒体貸出し機には各種タイプのものがあり、貨幣投入部と貨幣識別部及び制御部並びに貨幣ストッカー等を具備する通称ビルバリと称している部分を遊技媒体貸出し機の上部に一体に組込み設置し、その貨幣投入口から所定額の貨幣を投入することによって、払出し部から所定枚数の遊技媒体であるメダルを払出しするようにしたもの、あるいはビルバリを切り離して各遊技媒体貸出し機の上方部に別置きに設置し、各ビルバリをスロット島内で共用されるように別置きに設置された一つの貨幣ストッカーに対して貨幣搬送装置を介して接続構成したものなどが上げられる。
【０００４】
また、サンドを並設された２台の隣接するスロットマシン間に設置し、隣接する２台のスロットマシンで１台のサンドを共用するようにしたものと、各スロットマシンに対応してその一側に各々個別にサンドを設置し、スロットマシンとサンドとを一対一で対応させるようにしたものとがあり、近年、後者のものが遊技者に対する利便性の面から多く設置されている。
【０００５】
図３は、従来のスロット島の一例を示した正面図であり、図示の例では４台のスロットマシン２を並設して一つのスロット島３１を構成したものである。そして、各スロットマシン２１に対応するようにその一側にサンド２２を組込み設置している。このサンド２２は、上部にビルバリ２３を一体に組込んだものであり、ビルバリ２３の貨幣投入口２４から所定額の貨幣を投入することにより、サンド２２の下部に設けられている払出しノズル２５から対応するスロットマシン２１の下皿２６に直接遊技媒体であるメダルを所定枚数払出しできるようになっている。
【０００６】
また、図４は、別のスロット島を示す正面図であり、この例の場合、各スロットマシン２１に対応するようにその一側にサンド２２を組込み設置したものではあるが、サンド２２自体は、ビルバリ２３をサンド２２の上方部に別置きに設置し、各ビルバリ２３をスロット島３１の上部一側に別置きに設置された一つの貨幣ストッカー３２に対し貨幣搬送装置３３を介して接続構成したものであり、貨幣ストッカー３２を一つのスロット島内で共用できるようにしたものである。
【０００７】
上述した図３、４に示したように、近年は遊技者に対する利便性から、１台のスロットマシン２１に対応して一側に１台のサンド２２を個別に設置し、各サンド２２の払出しノズル２５から遊技媒体を対応するスロットマシン２１の下皿２6内に直接払出しするようにしたものが多く設置されている。
しかしながら、スロットマシン１台に対応させて１台のサンドを個別に設置することによって、確実に遊技者に対する利便性を向上させることはできるが、反面、それに相応して設備費用が高くならざるを得ず、スロットマシン２台で１台のサンドを共用するものに比べ、サンド1台分のコストが余計にかかることになる問題があった。
【０００８】
【発明が解決しようとする課題】
本発明は、上記した問題に対処するためになされたものであり、その第１の課題は、遊技者に対する利便性を低下させることなく、遊技媒体貸出し機自体の製造コストを大幅に低減することによって、安価で経済的な遊技装置を提供できるようにすることにある。
また、本発明のもう一つの課題は、上記のような安価で経済的な遊技装置の提供を従来から実用に供されている遊技媒体貸出し機の基本構成を部分的に変更することによって、簡易に実現できるようにすることにある。
【０００９】
【課題を解決するための手段】
上記した課題を解決するため、本発明にかかる遊技装置は、左右に並設された第１、第２の遊技機と、前記第１の遊技機の一側に設置され前記第１の遊技機にノズルを介して遊技媒体を直接払出しする第１の遊技媒体貸出し機と、前記第２の遊技機の一側に設置され前記第２の遊技機にノズルを介して遊技媒体を直接払出しする第２の遊技媒体貸出し機とを備える遊技装置において、貨幣投入部と貨幣識別部及び制御部を備え、前記第１、第２の遊技媒体貸出し機とそれぞれ接続された１台のビルバリが設置され、前記第１の遊技媒体貸出し機が前記第１の遊技機に遊技媒体を払出す動作と、前記第２の遊技媒体貸出し機が前記第２の遊技機に遊技媒体を払出す動作とが選択的に実行されるように前記ビルバリと前記第１、第２の遊技媒体貸出し機とが接続構成され、前記ビルバリは、該ビルバリおよび前記第１、第２の遊技媒体貸出し機の動作状態を表示する表示部と、前記第１、第２の遊技媒体貸出し機の何れによって遊技媒体の払出しを実行させるのかを選択する一対の選択ボタンとを備えることを特徴とするものである。このように２台の遊技機と１台のビルバリを設置し、これを各遊技機に対応してその一側に各々設置された遊技媒体貸出し機と接続構成することにより、ビルバリを１台として２台の遊技機で共用するようにしても、各遊技機に対応して個別に設置された遊技媒体貸出し機から各々の遊技機に対して遊技媒体を直接払出しすることができるため、遊技者にとっての利便性をそのまま維持することができる。
【００１０】
また、本発明にかかる遊技装置は、上記した遊技装置において、前記ビルバリは、第１の貨幣ストッカーを含んで構成され、前記第１、第２の遊技媒体貸出し機のうちの一方の遊技媒体貸出し機の上部に一体的に組込まれていることを特徴とするものである。これにより、遊技媒体貸出し機として、従来からのビルバリ付き遊技媒体貸出し機をそのまま使用でき、もう１台の遊技媒体貸出し機にはビルバリを取り外したものを使用することにより、大きな変更を伴うことなく、比較的簡易に実施することができる。
【００１２】
また、本発明にかかる遊技装置は、上記した遊技装置において、前記ビルバリは、前記一方の遊技媒体貸出し機の上方部に別置きに設置され、かつ、前記ビルバリと別に設置された第２の貨幣ストッカーに対して紙幣搬送装置を介して接続されていることを特徴とするものである。これによって、ビルバリを別置きに設置したものにおいても、遊技媒体貸出し機の上方部にのみビルバリを別置きに設置し、このビルバリを２台の遊技機で共用して使用することにより、各遊技媒体貸出し機から対応する遊技機に直接遊技媒体を自動払出しすることができる。
【００１３】
更にまた、本発明にかかる遊技装置は、上記した遊技装置において、前記第１、第２の遊技媒体貸出し機は、それぞれ、当該遊技媒体貸出し機の動作状態を表示する表示部と、遊技媒体の払出しを実行させる選択ボタンとを備えることを特徴とするものである。このように遊技機と対応して設置された遊技媒体貸出し機側に表示部と選択ボタンを設置しておくことにより、ビルバリに貨幣を投入後、当該遊技機側の遊技媒体貸出し機で全ての遊技媒体払出しを確認しながら操作を行うことができる。
【００１４】
【発明の実施の形態】
以下に本発明の実施の形態を図１及び図２に基づいて説明する。
図１は本発明の第１の実施形態にかかる遊技装置の構成を示すスロット島の正面図、図２は本発明の第２の実施形態にかかる遊技装置の構成を示すスロット島の正面図である。
【００１５】
図１中において、１Ａ、１Ｂ、１Ｃ、１Ｄは遊技機としてのスロットマシンであり、この例では４台のスロットマシン１Ａ、１Ｂ、１Ｃ、１Ｄを左右方向に並設することによってスロット島１０を構成している。
各スロットマシン１Ａ、１Ｂ、１Ｃ、１Ｄは、その一側（図示の右側）に遊技媒体貸出し機としてのサンド２Ａ、２Ｂ、２Ｃ、２Ｄをそれぞれ一対一で対応するように一体に組込み設置している。
【００１６】
ここで、４台のスロットマシン１Ａ、１Ｂ、１Ｃ、１Ｄにより構成したスロット島１０内において、互いに左右に隣接して設置された各２台のスロットマシン１Ａと１Ｂ、１Cと１Ｄをそれぞれペアとし、それらに一体的に組込まれているサンド２Ａ、２Ｂ、２Ｃ、２Ｄ及びサンドに組込まれるビルバリ３Ａ、３Ｂを以下のように構成している。
【００１７】
一対をなすスロットマシン１Ａと１Ｂに対応して組込まれたサンド２Ａ、２Ｂのうち、スロットマシン１Ａ、１Ｂ間に設置されるサンド２Ａを、貨幣投入部と貨幣識別部及び制御部並びに貨幣ストッカー等を具備するビルバリ３Ａがその上部に一体的に組込まれたサンド２Ａとし、一方、スロットマシン１Ｂの一側に設置されるサンド２Ｂをビルバリ無しのサンド２Ｂとしている。
【００１８】
ビルバリ３Ａを有するサンド２Ａ、ビルバリ無しのサンド２Ｂは、ビルバリ３Ａの貨幣投入口４Ａから所定額の貨幣を投入することによって、選択された左右一対の遊技機１Ａ、１Ｂのいずれかの下皿６Ａ、６Ｂ内に、その下部に設けられている払出しノズル５Ａ、５Ｂから遊技媒体であるメダルを直接払出しできるように構成されている。
【００１９】
また、ビルバリ３Ａには、貨幣投入口４Ａの他に、２Ａ、２Ｂのどちら側のサンドから遊技媒体を払出すのかを選択指定する一対の選択ボタン７Ａ、７Ｂが設けられていると共に、サンドが待機中なのか貨幣を受け入れ可能なのか、どちらの遊技機側から貨幣が投入されたのか、メダルの残り払出し枚数、エラーの内容等の表示を行う表示部８が設けられており、この選択ボタン７Ａ、７Ｂによってサンド２Ａ、２Ｂのいずれか一方から２台の遊技機１Ａ、１Ｂのいずれかに選択的に遊技媒体を払出しできるようにビルバリ３Ａと各サンド２Ａ、２Ｂとを接続構成している。
【００２０】
なお、一対をなすスロットマシン１Ｃと１Ｄ、及びそれらに対応して各々設置されるサンド２Ｃ、２Ｄ、並びにビルバリ３Ｂ等についても、上記と同様に構成されるものとする。
【００２１】
しかして、上記の実施形態によると、例えば、スロットマシン１Ｂで遊技しようとする遊技者は、ビルバリ３Ａに設けられている選択ボタン７Ｂを押し、貨幣投入口４Ａから所定額の貨幣を投入すると、スロットマシン１Ｂに対応したサンド２Ｂの払出しノズル５Ｂから自動的に所定枚数のメダルがスロットマシン１Ｂの下皿６Ｂ内に直接払出しされる。同様に、スロットマシン１Ａで遊技しようとしたとき、選択ボタン７Ａを押して貨幣を投入することにより、サンド２Ａからスロットマシン１Ａの下皿６Ａ内に自動的にメダルが払出しされる。
【００２２】
このように、ビルバリ３Ａ、３Ｂを、一対をなす２台のスロットマシン１Ａと１Ｂとの間及び１Ｃと１Ｄとの間に設置されるサンド２Ａ、２Ｃだけに組込み設置しておくことにより、スロットマシン１Ａ乃至１Ｄに対応して個別に設置されたサンド２A乃至２Ｄの全てに対してビルバリを組込み設置していた従来のものと略同等の動作でメダルを払出して遊技に供することができる。
【００２３】
従って、各サンド２A乃至２Ｂに組込むビルバリの数を半分に削減しても、遊技者にとっては全てのサンドにビルバリが組込んでいた従来方式の場合と略同等の動作で遊技することができるので、遊技者に対する利便性を何ら低下させることがない。また、ビルバリの数を削減した分に相当するだけ、コストダウンを図ることができると共に、サンド自体の構成についても、ビルバリ付きとビルバリ無しに変更するだけで、基本構成を殆ど変えることなく実施することができるため、比較的簡易に実用に供することができると共にビルバリの数が半減するため保守管理が軽減される等、多大の効果を期待することができる。
【００２４】
次に、図２に示した第２の実施形態について説明する。
この実施形態は、サンド２Ａ乃至２Ｄに対して、ビルバリ３Ｃ、３Ｄを別置きに設置した実施例に相当するもので、この場合、一対のスロットマシン１Ａと１Ｂ間及び１Ｃと１Ｄ間にそれぞれ設置されたサンド２Ａ及び２Ｃの上方部にビルバリ３Ｃ、３Ｄを設置すると共に、このビルバリ３Ｃを接続回路９Ａ、９Ｂを介してサンド２Ａ、２Ｂと接続構成し、ビルバリ３Ｄを接続回路９Ｃ、９Ｄを介してサンド２Ｃ、２Ｄと接続構成している。
【００２５】
また、ビルバリ３Ｃ、３Ｄは、それぞれ貨幣搬送装置１１に接続され、同貨幣搬送装置１１を介してスロット島１０の上部一側に設置された島内共用の一つの紙幣ストッカー１２に接続されており、島内のビルバリ３Ｃ、３Ｄに投入された貨幣を全て収集し、収納できるように構成されている。
【００２６】
一方、各サンド２Ａ乃至２Ｄには、その上部にどのスロットマシン１Ａ乃至１Ｄに対応するサンドから遊技媒体を払出すのかを選択指定する一対の選択ボタン７Ａ乃至７Ｄが設けられていると共に、サンドが待機中なのか貨幣を受け入れ可能なのか、どちらの遊技機側から貨幣が投入されたのか、メダルの残り払出し枚数、エラーの内容等の表示を行う表示部８が設けられている。
【００２７】
従って、この第２の実施形態においても、ビルバリ３Ｃ、３Ｄから貨幣を投入し、各サンド２Ａ乃至２Ｄに設けられている選択ボタン７Ａ乃至７Ｄを押すことによって、各遊技機１Ａ乃至１Ｄのいずれかの下皿６Ａ乃至６Ｄ内に、それに対応して設置されたサンド２Ａ乃至２Ｄの払出しノズル５Ａ乃至５Ｄから直接メダルを払出しすることができるため、上記した第１の実施形態と同様の効果を期待することができる。
【００２８】
【発明の効果】
以上に説明したように、本発明にかかる遊技装置によると、各遊技機に対応してそれぞれビルバリ付きの遊技媒体貸出し機（サンド）を組込んで、各遊技機に直接遊技媒体を払出しするようにした従来方式のものに比べ、ビルバリの数を半分に削減しても、遊技者に対しては従来方式のものと略同等の動作で遊技を行わせることができる。
【００２９】
従って、ビルバリの設置数を半減しながらも、遊技者の利便性を全く低下させることがなく、しかもビルバリの設置数を減らした分に相当するだけのコストダウンを達成できるという優れた効果を得ることができる。
また、遊技媒体貸出し機（サンド）の基本構成を殆ど変えずに、ビルバリ付きとビルバリ無しに変更するだけで実施できるため、比較的簡易に実用に供することができる。
【図面の簡単な説明】
【図１】本発明の第１の実施形態にかかる遊技装置を組込んだスロット島の構成を示す正面図である。
【図２】本発明の第２の実施形態にかかる遊技装置を組込んだスロット島の構成を示す正面図である。
【図３】従来の遊技装置を組込んだスロット島の構成を示す正面図である。
【図４】従来の別構成の遊技装置を組込んだスロット島の構成を示す正面図である。
【符号の説明】
１Ａ，１Ｂ，１Ｃ，１Ｄ…スロットマシン（遊技機）、２Ａ，２Ｂ，２Ｃ，２Ｄ…サンド（遊技媒体貸出し機）、３Ａ，３Ｂ，３Ｃ，３Ｄ…ビルバリ、４Ａ，４Ｂ…貨幣投入口、５Ａ，５Ｂ，５Ｃ，５Ｄ…払出しノズル、６Ａ，６Ｂ，６Ｃ，６Ｄ…下皿、７Ａ，７Ｂ，７Ｃ，７Ｄ…選択ボタン、８…表示部、９Ａ，９Ｂ，９Ｃ，９Ｄ…接続回路、１０…スロット島、１１…貨幣搬送装置、１２…貨幣ストッカー
【図１】
0004827154.tif 000002
【図２】
0004827154.tif 000003
【図３】
0004827154.tif 000004
【図４】
0004827154.tif 000005